(57)【要約】      （修正有）【課題】一つの医療映像データ、医療映像データと関連した複数の治療計画をグループ化して管理する医療映像別複数の治療計画記録方法及び装置を提供する。【解決手段】被施術者に対する治療計画樹立信号が受信されると、治療計画を樹立するためのインターフェースを実行して被施術者に対する既保存された映像データを表示する段階、映像データに第１オブジェクト追加を通じて第１治療計画を樹立する段階、映像データと追加された第１治療計画にインデックスを追加して第１治療計画を保存する段階、映像データに第２オブジェクト追加を通じて少なくとも一つの第２治療計画を樹立する段階および映像データと少なくとも一つの第２治療計画にインデックスを追加して少なくとも一つの第２治療計画を保存する段階を含むことができ、他の実施例にも適用が可能である。【選択図】図４
2020098601.tif 000002
【特許請求の範囲】
【請求項１】
被施術者に対する治療計画樹立信号が受信されると、前記治療計画を樹立するためのインターフェースを実行して前記被施術者に対する既保存された映像データを表示する段階；
前記映像データに第１オブジェクト追加を通じて第１治療計画を樹立する段階；
前記映像データと前記追加された第１治療計画にインデックスを追加して前記第１治療計画を保存する段階；
前記映像データに第２オブジェクト追加を通じて少なくとも一つの第２治療計画を樹立する段階；および
前記映像データと前記少なくとも一つの第２治療計画にインデックスを追加して、前記少なくとも一つの第２治療計画を保存する段階；を含むことを特徴とする。医療映像別複数の治療計画記録方法。
【請求項２】
前記治療計画に対する伝送信号が受信されると、前記インデックスと関連した前記映像データ、前記第１治療計画に含まれた前記第１オブジェクトについての情報および前記少なくとも一つの第２治療計画に含まれた前記第２オブジェクトについての情報を伝送する段階；をさらに含むことを特徴とする、請求項１に記載の医療映像別複数の治療計画記録方法。
【請求項３】
前記第１治療計画を樹立する段階は、
前記映像データに追加された前記第１オブジェクトをグループ化する段階；をさらに含むことを特徴とする、請求項２に記載の医療映像別複数の治療計画記録方法。
【請求項４】
前記第２治療計画を樹立する段階は、
前記映像データに追加された前記第２オブジェクトをグループ化する段階；をさらに含むことを特徴とする、請求項３に記載の医療映像別複数の治療計画記録方法。
【請求項５】
前記被施術者に対する前記治療計画を確認するための確認信号が受信されると、
前記映像データを確認する段階；および
前記映像データおよび前記映像データに追加された前記インデックスを確認して前記第１治療計画および前記少なくとも一つの第２治療計画を呼び出す段階；をさらに含むことを特徴とする、請求項４に記載の医療映像別複数の治療計画記録方法。
【請求項６】
前記呼び出された第１治療計画および前記少なくとも一つの第２治療計画のうち少なくとも一つの治療計画に対する変更信号が受信される段階；および
前記変更信号に基づいて前記治療計画に含まれたオブジェクトを変更して保存する段階；をさらに含むことを特徴とする、請求項５に記載の医療映像別複数の治療計画記録方法。
【請求項７】
前記第１オブジェクトについての情報および前記第２オブジェクトについての情報は、
前記映像データ内での補正値、補正比率、前記第１オブジェクトおよび前記第２オブジェクトのＩＤ、オブジェクトタイプ、線の厚さ、テキスト、テキスト比率、ポイントの個数、前記第１オブジェクトおよび前記第２オブジェクトの位置、回転角度、スケール、名前、色相および前記インデックスのうち少なくとも一つを含み、
前記オブジェクトタイプは、
直線、角度、多数の直線、ポリゴン、ペン、多角形、楕円、曲線、神経管、テキスト、矢印、インプラントに対する外形モデルについてのイメージおよびクラウンに対する外形モデルについてのイメージのうち少なくとも一つを含むことを特徴とする、請求項２に記載の医療映像別複数の治療計画記録方法。
【請求項８】
被施術者に対する治療計画樹立信号が受信されると、前記治療計画を樹立するためのインターフェースを実行するインターフェース部；
前記インターフェース実行により既保存された映像データを呼び出して前記インターフェースを通じて表示する映像管理部；
前記映像データに追加する複数のオブジェクトを提供するオブジェクト管理部；
前記映像データに追加された複数のオブジェクトを少なくとも一つのグループにグルーピングし、前記グループの個数別に治療計画を樹立し、前記治療計画と前記映像データにインデックスを追加する治療計画管理部；および
前記治療計画管理部で少なくとも一つのインデックスが追加された映像データを保存する映像ＤＢと、前記治療計画に前記インデックスを追加して保存する治療計画ＤＢを含むメモリ；を含むことを特徴とする、医療映像別複数の治療計画を記録する装置。
【請求項９】
通信部；をさらに含み、
前記治療計画管理部は、
前記治療計画に対する伝送信号が受信されると、前記それぞれのグループに含まれたオブジェクトについての情報と前記映像データを前記通信部を通じて外部装置に伝送することを特徴とする、請求項８に記載の医療映像別複数の治療計画を記録する装置。
【請求項１０】
前記治療計画管理部は、
前記治療計画を確認するための確認信号により前記映像データを確認し、前記映像データに追加された前記インデックスを確認して前記それぞれのグループに含まれた前記オブジェクトをグループ別に呼び出すことを特徴とする、請求項９に記載の医療映像別複数の治療計画を記録する装置。
【請求項１１】
前記治療計画管理部は、
前記呼び出されたオブジェクトを変更するための変更信号によって前記オブジェクトを変更して保存することを特徴とする、請求項１０に記載の医療映像別複数の治療計画を記録する装置。
【請求項１２】
前記オブジェクトについての情報は、
前記映像データ内での補正値、補正比率、前記オブジェクトのＩＤ、オブジェクトタイプ、線の厚さ、テキスト、テキスト比率、ポイントの個数、前記オブジェクトの位置、回転角度、スケール、名前、色および前記インデックスのうち少なくとも一つを含み、
前記オブジェクトタイプは、
直線、角度、多数の直線、ポリゴン、ペン、多角形、楕円、曲線、神経管、テキスト、矢印、インプラントに対する外形モデルについてのイメージおよびクラウンに対する外形モデルについてのイメージのうち少なくとも一つを含むことを特徴とする、請求項９に記載の医療映像別複数の治療計画を記録する装置。
【発明の詳細な説明】
【発明の詳細な説明】
【０００１】
本願は、韓国の産業通商資源部（ＭＯＴＩＥ）が助成する、先端技術センター（ＡＴＣ）プログラムにより支援されたものである（番号１００７７３６１、歯科診断、治療シミュレーション、およびＰＳＩ（個々の患者に合わせた手術機器）設計のための統合システム）。
【技術分野】
【０００２】
本発明は医療映像別複数の治療計画記録方法および装置に関し、一つの医療映像データ、医療映像データと関連した複数の治療計画をグループ化して管理する医療映像別複数の治療計画記録方法および装置に関する。
【背景技術】
【０００３】
現在市中の医療機器は一つの医療映像データに一つの治療計画をマッピングして保存する形態で構成される。したがって、一つの医療映像データと関連した複数の治療計画を樹立しなければならない場合、使用者は治療計画を樹立しようとする度に既保存された同一の医療映像データを繰り返し呼び出し、呼び出された医療映像データに治療計画を樹立しなければならない。
【０００４】
このように、同一の医療映像データに治療計画を樹立したとしても治療計画が異なるのであれば、治療計画別に治療計画と医療映像データをそれぞれマッピングして別途に保存しなければならない煩わしさが発生し、保存空間を多く占めるという問題が発生する。また、治療計画を外部装置に伝送しようとする場合、治療計画のそれぞれにマッピングされた医療映像データを治療計画と共に伝送しなければならないため伝送時間が遅延する問題点が発生する。
【発明の概要】
【発明が解決しようとする課題】
【０００５】
このような従来の問題点を解決するための本発明の多様な実施例は、一つの医療映像データと関連した複数の治療計画を樹立して管理できる医療映像別複数の治療計画記録方法および装置を提供するものである。
【課題を解決するための手段】
【０００６】
本発明の一実施例に係る医療映像別複数の治療計画記録方法は、被施術者に対する治療計画樹立信号が受信されると前記治療計画を樹立するためのインターフェースを実行して前記被施術者に対する既保存された映像データを表示する段階、前記映像データに第１オブジェクト追加を通じて第１治療計画を樹立する段階、前記映像データと前記追加された第１治療計画にインデックスを追加して前記第１治療計画を保存する段階、前記映像データに第２オブジェクト追加を通じて少なくとも一つの第２治療計画を樹立する段階および前記映像データと前記少なくとも一つの第２治療計画にインデックスを追加して前記少なくとも一つの第２治療計画を保存する段階を含むことを特徴とする。
【０００７】
また、治療計画に対する伝送信号が受信されると、前記インデックスと関連した前記映像データ、前記第１治療計画に含まれた前記第１オブジェクトについての情報および前記少なくとも一つの第２治療計画に含まれた前記第２オブジェクトについての情報を伝送する段階をさらに含むことを特徴とする。
【０００８】
また、第１治療計画を樹立する段階は、前記映像データに追加された前記第１オブジェクトをグループ化する段階をさらに含むことを特徴とする。
【０００９】
また、第２治療計画を樹立する段階は、前記映像データに追加された前記第２オブジェクトをグループ化する段階をさらに含むことを特徴とする。
【００１０】
また、被施術者に対する前記治療計画を確認するための確認信号が受信されると、前記映像データを確認する段階および前記映像データおよび前記映像データに追加された前記インデックスを確認して前記第１治療計画および前記少なくとも一つの第２治療計画を呼び出す段階をさらに含むことを特徴とする。
【００１１】
また、呼び出された第１治療計画および前記少なくとも一つの第２治療計画のうち少なくとも一つの治療計画に対する変更信号が受信される段階および前記変更信号に基づいて前記治療計画に含まれたオブジェクトを変更して保存する段階をさらに含むことを特徴とする。
【００１２】
また、第１オブジェクトについての情報および前記第２オブジェクトについての情報は、前記映像データ内での補正値、補正比率、前記第１オブジェクトおよび前記第２オブジェクトのＩＤ、オブジェクトタイプ、線の厚さ、テキスト、テキスト比率、ポイントの個数、前記第１オブジェクトおよび前記第２オブジェクトの位置、回転角度、スケール、名前、色および前記インデックスのうち少なくとも一つを含み、前記オブジェクトタイプは、直線、角度、多数の直線、ポリゴン、ペン、多角形、楕円、曲線、神経管、テキスト、矢印、インプラントに対する外形モデルについてのイメージおよびクラウンに対する外形モデルについてのイメージのうち少なくとも一つを含むことを特徴とする。
【００１３】
併せて、本発明の一実施例に係る医療映像別複数の治療計画を記録する装置は、被施術者に対する治療計画樹立信号が受信されると前記治療計画を樹立するためのインターフェースを実行するインターフェース部、前記インターフェース実行により既保存された映像データを呼び出して前記インターフェースを通じて表示する映像管理部、前記映像データに追加する複数のオブジェクトを提供するオブジェクト管理部、前記映像データに追加された複数のオブジェクトを少なくとも一つのグループでグルーピングして、前記グループの個数別に治療計画を樹立して、前記治療計画と前記映像データにインデックスを追加する治療計画管理部および前記治療計画管理部で少なくとも一つのインデックスが追加された映像データを保存する映像ＤＢと、前記治療計画に前記インデックスを追加して保存する治療計画ＤＢを含むメモリを含むことを特徴とする。
【００１４】
また、通信部をさらに含み、前記治療計画管理部は、前記治療計画に対する伝送信号が受信されると、前記それぞれのグループに含まれたオブジェクトについての情報と前記映像データを、前記通信部を通じて外部装置に伝送することを特徴とする。
【００１５】
また、治療計画管理部は、前記治療計画を確認するための確認信号により前記映像データを確認し、前記映像データに追加された前記インデックスを確認して前記それぞれのグループに含まれた前記オブジェクトをグループ別に呼び出すことを特徴とする。
【００１６】
また、治療計画管理部は、前記呼び出されたオブジェクトを変更するための変更信号によって前記オブジェクトを変更して保存することを特徴とする。
【００１７】
また、オブジェクトについての情報は、前記映像データ内での補正値、補正比率、前記オブジェクトのＩＤ、オブジェクトタイプ、線の厚さ、テキスト、テキスト比率、ポイントの個数、前記オブジェクトの位置、回転角度、スケール、名前、色相および前記インデックスのうち少なくとも一つを含み、前記オブジェクトタイプは、直線、角度、多数の直線、ポリゴン、ペン、多角形、楕円、曲線、神経管、テキスト、矢印、インプラントに対する外形モデルについてのイメージおよびクラウンに対する外形モデルについてのイメージのうち少なくとも一つを含むことを特徴とする。
【発明の効果】
【００１８】
前述した通り、本発明の医療映像別複数の治療計画記録方法および装置は、一つの医療映像データと関連した複数の治療計画を樹立して管理することによって、同一の医療映像データと関連した治療計画をそれぞれマッピングして別途に保存しなければならない煩わしさを解消することができ、保存空間を最小化できる効果がある。
【００１９】
また、治療計画を外部装置に伝送しようとする時、一つの医療映像データにマッピングされた複数の治療計画のうち伝送しようとする治療計画のみを選択して医療映像データを共に伝送することによって、伝送時間の遅延を最小化できる効果がある。
【図面の簡単な説明】
【００２０】
【図１】本発明の実施例に係る医療映像データと関連した複数の治療計画を記録する装置の主な構成を示した図面。
【図２】本発明の実施例に係る医療映像データと関連した複数の治療計画を記録する方法を説明するためのフローチャート。
【図３】本発明の実施例に係る医療映像データと関連した複数の治療計画を記録する方法を説明するためのフローチャート。
【図４】本発明の実施例に係る医療映像データと関連した第１治療計画を記録する方法を説明するための画面例示図。
【図５】本発明の実施例に係る医療映像データと関連した第２治療計画を記録する方法を説明するための画面例示図。
【図６】本発明の実施例に係るデータ構造を説明するための例示図。
【発明を実施するための形態】
【００２１】
以下、添付された図面を参照して本発明の実施例をより詳細に説明する。この時、添付された図面で同じ構成要素は可能な限り同じ符号を付している。そして、本発明の要旨を不要に曖昧にさせ得る公知の機能および構成についての詳細な説明は省略する。
【００２２】
図１は本発明の実施例に係る医療映像データと関連した複数の治療計画を記録する装置の主な構成を示した図面である。
【００２３】
図１を参照すると、本発明に係る装置（１００、以下、電子装置１００とする）は通信部１１０、入力部１２０、表示部１３０、メモリ１４０および制御部１５０を含むことができる。電子装置１００は被施術者を施術しようとする施術者（以下、使用者という）が利用する電子装置であって、タブレットＰＣ、コンピュータ、ラップトップなどの電子装置であり得る。
【００２４】
通信部１１０は外部装置（図示されず）との通信を遂行する。併せて、通信部１１０は電子装置１００の外部に位置した映像獲得装置（図示されず）と通信を遂行し、メインサーバー（図示されず）との通信を遂行する。この時、電子装置１００はメインサーバーを通じて医療映像データ（以下、映像データという）および治療計画を外部装置に伝送する。このために、通信部１１０は、５Ｇ（ｆｉｆｔｈ  ｇｅｎｅｒａｔｉｏｎ  ｍｏｂｉｌｅ  ｔｅｌｅｃｏｍｍｕｎｉｃａｔｉｏｎ）、ＬＴＥ−Ａ（ｌｏｎｇ  ｔｅｒｍ  ｅｖｏｌｕｔｉｏｎ−ａｄｖａｎｃｅｄ）、ＬＴＥ（ｌｏｎｇ  ｔｅｒｍ  ｅｖｏｌｕｔｉｏｎ）、ＷＣＤＭＡ（登録商標）（ｗｉｄｅｂａｎｄ  ｃｏｄｅ  ｄｉｖｉｓｉｏｎ  ｍｕｌｔｉｐｌｅ  ａｃｃｅｓｓ）およびＷｉ−Ｆｉ（ｗｉｒｅｌｅｓｓ  ｆｉｄｅｌｉｔｙ）等の無線通信を遂行することができる。また、通信部２１０はＵＳＢ（ｕｎｉｖｅｒｓａｌ  ｓｅｒｉａｌ  ｂｕｓ）、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＤＶＩ（ｄｉｇｉｔａｌ  ｖｉｄｅｏ  ｉｎｔｅｒａｃｔｉｖｅ）ケーブルなどの有線通信を遂行することができる。
【００２５】
入力部１２０は、電子装置１００の使用者の入力に対応して入力データを発生させる。入力部１２０はキーパッド（ｋｅｙ  ｐａｄ）、ドームスイッチ（ｄｏｍｅ  ｓｗｉｔｃｈ）、タッチパネル（ｔｏｕｃｈ  ｐａｎｅｌ）、ジョグシャトル（ｊｏｇ  ＆  ｓｈｕｔｔｌｅ）、センサ（ｓｅｎｓｏｒ）、タッチキー（ｔｏｕｃｈ  ｋｅｙ）およびメニューボタン（ｍｅｎｕ  ｂｕｔｔｏｎ）等を含む。
【００２６】
表示部１３０は電子装置１００の動作による表示データを表示する。特に、表示部１３０は被施術者に対する治療計画を樹立するためのアプリケーション、ウェブページなどの実行および動作による画面を表示する。このために、表示部１３０は液晶ディスプレイ（ＬＣＤ；ｌｉｑｕｉｄ  ｃｒｙｓｔａｌ  ｄｉｓｐｌａｙ）、発光ダイオード（ＬＥＤ；ｌｉｇｈｔ  ｅｍｉｔｔｉｎｇ  ｄｉｏｄｅ）ディスプレイ、有機発光ダイオード（ＯＬＥＤ；ｏｒｇａｎｉｃ  ＬＥＤ）ディスプレイ、マイクロ電子機械システム（ＭＥＭＳ；ｍｉｃｒｏ  ｅｌｅｃｔｒｏ  ｍｅｃｈａｎｉｃａｌ  ｓｙｓｔｅｍｓ）ディスプレイおよび電子ペーパー（ｅｌｅｃｔｒｏｎｉｃ  ｐａｐｅｒ）ディスプレイを含む。表示部１３０は入力部１２０と結合されてタッチスクリーン（ｔｏｕｃｈ  ｓｃｒｅｅｎ）で具現され得る。
【００２７】
メモリ１４０は電子装置１００の動作プログラムを保存する。メモリ１４０は被施術者に対する治療計画を樹立するためのアプリケーションなどの設置ファイルを保存したり、ウェブページなどの接続住所などを保存することができる。メモリ１４０はオブジェクト道具によって、映像データにオブジェクト追加時にオブジェクトが追加された領域の長さ、広さ、角度、深さなどを測定できるアルゴリズムを保存することができる。また、メモリ１４０は映像データの映像処理のためのアルゴリズムを保存することができる。メモリ１４０は映像データに追加するインプラントおよびクラウンに対するイメージオブジェクトを保存することができる。また、メモリ１４０は被施術者に対する映像データを保存し、インデックスが追加される時に映像データにインデックスを追加して保存できる映像ＤＢ１４１を含む。メモリ１４０は映像データと関連して樹立された治療計画を保存するための治療計画ＤＢ１４２を含む。この時、映像データは、ピクセル形式イメージであるＣｅｐｈ、Ｐａｎｏｒａｍａ形式のイメージ、ＩＯ  Ｓｅｎｓｏｒで獲得されたイメージ、Ｘ−ｒａｙを通じて獲得されたイメージなどの２次元医療映像データであり得、Ｖｏｌｕｍｅ形式のイメージ、Ｖｏｘｅｌ形式のイメージ、ＣＴ撮影を通じて獲得されたイメージ、ＭＲＩ撮影を通じて獲得されたイメージ、超音波撮影を通じて獲得されたイメージなどの３次元医療映像データであり得る。
【００２８】
制御部１５０は被施術者の映像データに基づいて一つの映像データに複数の治療計画を樹立し、樹立された複数の治療計画のうち少なくとも一つの治療計画を変更する。また、制御部１５０は樹立された治療計画を外部装置（例えば、技工所で使う端末など）に伝送する。このために、制御部１５０はインターフェース部１５１、映像管理部１５２、オブジェクト管理部１５３および治療計画管理部１５４を含むことができる。治療計画を樹立するための基盤となる映像データは、電子装置１００に備えられた映像獲得部（図示されず）により獲得された映像データであるか、電子装置１００の外部に位置した映像獲得装置によって獲得された映像データであり得る。
【００２９】
より具体的には、インターフェース部１５１は入力部１２０から被施術者に対する治療計画を樹立するための樹立信号が受信されると、治療計画を樹立するためのインターフェースを呼び出して表示部１３０にメイン画面を表示する。この時、インターフェースは治療計画を樹立するためのアプリケーション、ウェブページなどの実行および動作を通じて使用者が確認できる使用者インターフェースを意味する。インターフェース部１５１は入力部１２０を通じて受信される制御信号を映像管理部１５２、オブジェクト管理部１５３および治療計画管理部１５４等に適切に提供して制御信号に対応する動作を遂行するようにする。
【００３０】
インターフェース部１５１は、メイン画面を表示部１３０に表示する時にオブジェクト管理部１５３にオブジェクト道具の呼び出しを要請する。オブジェクト管理部１５３は映像データに追加して治療計画を樹立できる複数のオブジェクト道具を呼び出してメイン画面の一部に表示する。
【００３１】
インターフェース部１５１は入力部１２０から被施術者に対する映像データを呼び出すための呼び出し信号が受信されると、呼び出し信号を映像管理部１５２に提供し、映像管理部１５２は呼び出し信号に基づいてメモリ１４０に含まれた映像ＤＢ１４１の検索を遂行する。映像管理部１５２は映像ＤＢ１４１から呼び出し信号に対応する被施術者と関連した映像データを呼び出してメイン画面に表示する。この時、呼び出し信号は、被施術者の名前または患者番号などを含むことができる。
【００３２】
インターフェース部１５１は入力部１２０を通じて、複数のオブジェクト道具のうち少なくとも一つの道具が選択されると、これを治療計画管理部１５４に提供する。この時、複数のオブジェクト道具は、メイン画面に表示された映像データの中から治療が必要な部分にオブジェクトを利用して治療計画を入力できる道具であって、２次元および３次元オブジェクト道具で構成され得る。２次元オブジェクト道具は、映像データの少なくとも一部に定められた形態を有する四角形、円形などのポリコンを入力し、使用者の入力に対応する線を入力できる入力道具、映像データの少なくとも一部にテキストを入力できるメモ道具、長さ測定、角度測定、深さ測定および広さ測定のための測定道具を含むことができる。また、３次元オブジェクト道具は、映像データの少なくとも一部にインプラント、クラウン、ＣＡＤデータ、Ｓｃａｎデータなどを入力するための入力道具を含むことができる。
【００３３】
治療計画管理部１５４は映像データに追加されたオブジェクトに基づいて治療計画を樹立する。治療計画管理部１５４は樹立された治療計画をメモリ１４０に保存する。この時、治療計画管理部１５４は一つの映像データに対する複数の治療計画を樹立することができる。より具体的には、治療計画管理部１５４は、被施術者の口腔内部に対する映像データがメイン画面に表示された状態で選択された特定歯の角度を測定するための測定道具が映像データの一部に配置されると、治療計画管理部１５４は測定道具を第１オブジェクトとして映像データに追加されたものと確認することができる。併せて、治療計画管理部１５４は測定道具が追加された特定歯の角度を確認して測定道具の上部にテキストで表示することができる。
【００３４】
そして、治療計画管理部１５４は第１オブジェクトについての情報を確認する。この時、オブジェクトについての情報は映像データ内での補正値、補正比率、オブジェクトのＩＤ、オブジェクトタイプ、線の厚さ、テキスト、テキスト比率、ポイントの個数、前記オブジェクトの位置、回転角度、スケール、名前、色相および前記インデックスのうち少なくとも一つを含み、オブジェクトタイプは、直線、角度、多数の直線、ポリゴン、ペン、多角形、楕円、曲線、神経管、テキスト、矢印、インプラントに対する外形モデルについてのイメージおよびクラウンに対する外形モデルについてのイメージのうち少なくとも一つを含むことができる。治療計画管理部１５４は映像データに長さを測定するための測定道具が追加されると、角度測定道具と長さ測定道具とを第１オブジェクトとしてグルーピングして第１グループを生成する。治療計画管理部１５４は第１グループを第１治療計画として確認し、第１治療計画と映像データに第１インデックスを追加する。
【００３５】
また、治療計画管理部１５４は被施術者の口腔内部に対する映像データがメイン画面に表示された状態で、オブジェクト道具のうちインプラントが選択され、映像データの一部にインプラントに対するオブジェクトが配置されると、治療計画管理部１５４はインプラントに対するオブジェクトが第２オブジェクトとして映像データに追加されたことを確認する。そして、治療計画管理部１５４は第２オブジェクトについての情報を確認する。治療計画管理部１５４はクラウンに対するオブジェクトが映像データに追加されると、インプラントに対するオブジェクトとクラウンに対するオブジェクトを第２オブジェクトとしてグルーピングして第２グループを生成する。治療計画管理部１５４は第２グループを第２治療計画として確認し、第２治療計画と映像データに第２インデックスを追加する。
【００３６】
治療計画管理部１５４は治療計画の完了信号が受信されると、映像データに第１インデックスおよび第２インデックスを追加して映像ＤＢ１４１に保存する。治療計画管理部１５４は、第１インデックスが追加された少なくとも一つの第１オブジェクトで生成された第１グループと、第２インデックスが追加された少なくとも一つの第２オブジェクトで生成された第２グループと、を治療計画ＤＢ１４２に保存することができる。この時、第１グループおよび第２グループは各グループに含まれたオブジェクトについての情報を含むことができる。
【００３７】
また、インターフェース部１５１は、入力部１２０から保存された治療計画を確認するための確認信号が受信されると、これを治療計画管理部１５４に提供する。この時、確認信号は被施術者の名前または患者番号などを含むことができる。治療計画管理部１５４はメモリ１４０から確認信号に対応する被施術者に対する映像データおよび治療計画を呼び出して表示部１３０に表示する。例えば、治療計画管理部１５４は確認信号に対応する一つの映像データを映像ＤＢ１４１から呼び出す。呼び出された映像データに第１インデックスと第２インデックスとが追加された状態であれば、治療計画管理部１５４は治療計画ＤＢ１４２から第１インデックスと第２インデックスとが追加された第１グループと第２グループを呼び出す。この時、第１グループは少なくとも一つの第１オブジェクトおよび第１オブジェクトについての情報を含み、第２グループは少なくとも一つの第２オブジェクトおよび第２オブジェクトについての情報を含む。治療計画管理部１５４は第１オブジェクトについての情報に基づいて呼び出された映像データに第１治療計画である第１オブジェクトを追加して表示部１３０に表示することができる。
【００３８】
併せて、治療計画管理部１５４は他の治療計画例えば、第２治療計画に対する選択信号が受信されると、第２オブジェクトについての情報に基づいて呼び出された映像データに第２治療計画である第２オブジェクトを追加して表示部１３０に表示することができる。
【００３９】
治療計画管理部１５４は入力部１２０から治療計画に対する変更信号が受信されると、変更信号により治療計画を変更し、変更された治療計画を治療計画ＤＢ１４２に更新して保存する。例えば、治療計画管理部１５４は第２治療計画である第２オブジェクトの中からインプラントを植立しようとする位置を変更するために、インプラントイメージで形成されたオブジェクトの位置が移動すると、移動した位置についての情報を治療計画ＤＢ１４２に更新して保存することができる。
【００４０】
インターフェース部１５１は、入力部１２０から樹立された治療計画および変更された治療計画を外部装置に伝送するための伝送信号が受信されると、伝送信号を治療計画管理部１５４に提供する。治療計画管理部１５４はメモリ１４０に保存された映像データおよび映像データに樹立されたすべての治療計画を抽出することができる。すなわち、治療計画が樹立された映像データでは第１インデックスと第２インデックスとが追加されているので、治療計画管理部１５４は第１インデックスと第２インデックスとが追加された第１治療計画と第２治療計画とを治療計画ＤＢ１４２からすべて抽出する。治療計画管理部１５４は抽出された第１治療計画に含まれた第１オブジェクトについての情報と第２治療計画に含まれた第２オブジェクトについての情報とを、一つの映像データとともに外部装置に伝送する。このように、オブジェクトについての情報は単純なデータで形成されているので、外部装置に治療計画の伝送時に速度を早くすることができ、治療計画を受信する外部装置でのロード遅延を防止できる効果がある。
【００４１】
併せて、本発明の実施例では映像ＤＢ１４１に映像データを保存するものと記載しているが、必ずしもこれに限定されず、映像データはメインサーバーに保存され得る。このように、映像データがメインサーバーに保存された場合、電子装置１００はメインサーバーから映像データを呼び出して治療計画を樹立することができる。
【００４２】
図２は、本発明の実施例に係る医療映像データと関連した複数の治療計画を記録する方法を説明するためのフローチャートである。
【００４３】
図２を参照すると、２０１段階でインターフェース部１５１は入力部１２０から被施術者に対する治療計画を樹立するための樹立信号の受信の有無を確認する。２０１段階の確認結果、樹立信号が受信されると、２０３段階でインターフェース部１５１は治療計画を樹立するためのインターフェースを呼び出して表示部１３０にメイン画面を表示する。オブジェクト管理部１５３はインターフェース部１５１の要請によって映像データに追加して治療計画を樹立できる複数のオブジェクト道具を呼び出して、メイン画面の一部に表示する。この時、インターフェースは治療計画を樹立するためのアプリケーション、ウェブページなどの実行および動作による画面を使用者に提供できる使用者インターフェースを意味する。インターフェース部１５１は入力部１２０を通じて受信される制御信号を映像管理部１５２、オブジェクト管理部１５３および治療計画管理部１５４等に適切に提供して制御信号に対応する動作を遂行するようにする。その反対に、２０１段階の確認結果、樹立信号が受信されないとインターフェース部１５１は樹立信号の受信を待機することができる。
【００４４】
２０５段階でインターフェース部１５１は、入力部１２０から被施術者に対する映像データを呼び出すための呼び出し信号が受信されると２０７段階を遂行し、呼び出し信号が受信されないと呼び出し信号の受信を待機する。２０７段階でインターフェース部１５１は呼び出し信号を映像管理部１５２に提供し、映像管理部１５２は呼び出し信号に基づいてメモリ１４０に含まれた映像ＤＢ１４１の検索を遂行する。映像管理部１５２は映像ＤＢ１４１から呼び出し信号に対応する被施術者と関連した映像データを呼び出してメイン画面に表示する。
【００４５】
２０９段階でインターフェース部１５１は、入力部１２０を通じて受信される複数のオブジェクト道具のうち少なくとも一つの道具に対する選択信号に基づいて治療計画を樹立する。インターフェース部１５１は、複数のオブジェクト道具のうち少なくとも一つの道具が選択されると、これを治療計画管理部１５４に提供する。治療計画管理部１５４は映像データに追加されたオブジェクトに基づいて治療計画を樹立する。２１１段階でインターフェース部１５１は、入力部１２０から映像データに対する治療計画の樹立完了信号が受信されると２１３段階を遂行し、樹立完了信号が受信されないと２０９段階に回帰して治療計画の樹立を持続的に遂行することができる。２１３段階で治療計画管理部１５４は樹立された治療計画をメモリ１４０に保存する。この時、治療計画管理部１５４は一つの映像データに対する複数の治療計画を樹立することができる。
【００４６】
より具体的には、治療計画管理部１５４は入力部１２０で選択されたオブジェクト道具のうち少なくとも一つの道具を映像データに追加する。例えば、治療計画管理部１５４は被施術者の口腔内部に対する映像データがメイン画面に表示された状態で、選択された特定歯の角度を測定するための測定道具が映像データの一部に配置されると、治療計画管理部１５４は測定道具を第１オブジェクトとして映像データに追加されたものと確認することができる。併せて、治療計画管理部１５４は測定道具が追加された特定歯の角度を確認して測定道具の上部にテキストで表示することができる。
【００４７】
そして、治療計画管理部１５４は第１オブジェクトについての情報を確認する。この時、オブジェクトについての情報は、映像データ内での補正値、補正比率、オブジェクトのＩＤ、オブジェクトタイプ、線の厚さ、テキスト、テキスト比率、ポイントの個数、オブジェクトの位置、回転角度、スケール、名前、色およびインデックスのうち少なくとも一つを含むことができる。オブジェクトタイプは、直線、角度、多数の直線、ポリゴン、ペン、多角形、楕円、曲線、神経管、テキスト、矢印、インプラントに対する外形モデルについてのイメージおよびクラウンに対する外形モデルについてのイメージのうち少なくとも一つを含むことができる。治療計画管理部１５４は映像データに長さを測定するための測定道具が追加されると、角度測定道具と長さ測定道具とを第１オブジェクトとしてグルーピングして第１グループを生成する。治療計画管理部１５４は第１グループを第１治療計画として確認し、第１治療計画と映像データに第１インデックスを追加する。
【００４８】
また、治療計画管理部１５４は被施術者の口腔内部に対する映像データがメイン画面に表示された状態で、オブジェクト道具のうちインプラントが選択され、映像データの一部にインプラントが配置されると、治療計画管理部１５４はインプラントが第２オブジェクトとして映像データに追加されたことを確認する。そして、治療計画管理部１５４は第２オブジェクトについての情報を確認する。治療計画管理部１５４はクラウンに対するオブジェクトが映像データに追加されると、インプラントに対するオブジェクトとクラウンに対するオブジェクトとを第２オブジェクトとしてグルーピングして第２グループを生成する。治療計画管理部１５４は第２グループを第２治療計画として確認し、第２治療計画と映像データに第２インデックスを追加する。
【００４９】
治療計画管理部１５４は治療計画の完了信号が受信されると、映像データに第１インデックスおよび第２インデックスを追加して映像ＤＢ１４１に保存する。治療計画管理部１５４は第１インデックスが追加された少なくとも一つの第１オブジェクトで生成された第１グループと、第２インデックスが追加された少なくとも一つの第２オブジェクトで生成された第２グループとを治療計画ＤＢ１４２に保存することができる。この時、第１グループおよび第２グループは各グループに含まれたオブジェクトについての情報を含むことができる。
【００５０】
２１５段階でインターフェース部１５１は入力部１２０から樹立された治療計画を外部装置（図示されず）に伝送するための伝送信号が受信されると２１７段階を遂行し、伝送信号が受信されないと２１９段階を遂行する。２１７段階でインターフェース部１５１は伝送信号を治療計画管理部１５４に提供し、治療計画管理部１５４はメモリ１４０に保存された治療計画を抽出して通信部１１０を通じて外部装置に伝送することができる。この時、治療計画管理部１５４は一つの映像データに樹立されたすべての治療計画を抽出することができる。すなわち、治療計画が樹立された映像データでは第１インデックスと第２インデックスが追加されているので、治療計画管理部１５４は第１インデックスと第２インデックスとが追加された第１治療計画と第２治療計画を治療計画ＤＢ１４２からすべて抽出する。治療計画管理部１５４は抽出された第１治療計画に含まれた第１オブジェクトについての情報と第２治療計画に含まれた第２オブジェクトについての情報とを一つの映像データとともに外部装置に伝送する。このように、オブジェクトについての情報は単純なデータで形成されているので、外部装置で治療計画伝送時に速度をはやくすることができ、治療計画を受信する外部装置でのロード遅延を防止できる効果がある。
【００５１】
併せて、本発明の実施例では電子装置１００が治療計画を外部装置に伝送するものを例にして説明しているが、必ずしもこれに限定されるものではない。電子装置１００は電子装置１００と連結されたメインサーバー（図示されず）に治療計画を伝送することができる。この時、メインサーバーはメモリ１４０の映像ＤＢ１４１に保存された映像データを保存することができる。メインサーバーはインデックスを通じて受信された治療計画に関連した映像データを抽出し、抽出された映像データと治療計画を伝達サーバー（図示されず）に伝送することができる。メインサーバーは、伝達サーバーに映像データおよび治療計画伝達時に被施術者に対する個人情報をマスキング処理したり個人情報を削除した後、伝達サーバーに伝送することができる。また、メインサーバーは映像データおよび治療計画を確認できるＵＲＬ住所などをＱＲコード（登録商標）などで生成して伝達サーバーに伝送することができる。伝達サーバーはメインサーバーから受信された映像データおよび治療計画を外部装置に伝送したり、ＱＲコード（登録商標）などを外部装置に伝送することができる。
【００５２】
２１９段階でインターフェース部１５１は入力部１２０から治療計画樹立に対する終了信号の受信の有無を確認する。２１９段階の確認結果、終了信号が受信されると、インターフェース部１５１は治療計画を樹立するためのアプリケーション、ウェブページなどの実行を終了する。その反対に、終了信号が受信されないと制御部１５０は２０９段階に回帰して前記動作を再遂行することができる。
【００５３】
図３は、本発明の実施例に係る医療映像データと関連した複数の治療計画を記録する方法を説明するためのフローチャートである。
【００５４】
図３を参照すると、３０１段階でインターフェース部１５１は、入力部１２０から保存された治療計画を確認するための確認信号が受信されると、これを治療計画管理部１５４に提供する。治療計画管理部１５４は確認信号の受信が確認されると３０３段階を遂行し、確認信号の受信が確認されないと確認信号の受信を待機する。この時、確認信号は被施術者の名前または患者番号などであり得る。
【００５５】
３０３段階で治療計画管理部１５４はメモリ１４０から確認信号に対応する被施術者に対する映像データおよび治療計画を呼び出し、３０５段階で治療計画管理部１５４は呼び出された映像データおよび治療計画を表示部１３０に表示する。例えば、治療計画管理部１５４は確認信号に対応する一つの映像データを映像ＤＢ１４１から呼び出す。呼び出された映像データに第１インデックスと第２インデックスとが追加された状態であれば、治療計画管理部１５４は治療計画ＤＢ１４２から第１インデックスと第２インデックスとが追加された第１グループと第２グループを呼び出す。この時、第１グループは少なくとも一つの第１オブジェクトおよび第１オブジェクトについての情報を含み、第２グループは少なくとも一つの第２オブジェクトおよび第２オブジェクトについての情報を含む。治療計画管理部１５４は第１オブジェクトについての情報に基づいて呼び出された映像データに第１治療計画である第１オブジェクトを追加して表示部１３０に表示することができる。
【００５６】
３０７段階で治療計画管理部１５４は他の治療計画例えば、第２治療計画に対する選択信号が受信されると３０９段階を遂行する。３０９段階で治療計画管理部１５４は、選択信号に対応する第２治療計画に画面を切り替えて表示部１３０に表示する。すなわち、治療計画管理部１５４は第２グループに対する選択信号が受信されると、第２グループに含まれた第２オブジェクトについての情報に基づいて呼び出された映像データに第２治療計画である第２オブジェクトを追加して表示部１３０に表示することができる。この時、３０５段階で表示された映像データはそのまま維持され、第１治療計画である第１オブジェクトが選択信号により第２治療計画である第２オブジェクトに変換されて表示され得る。その反対に、３０７段階で治療計画管理部１５４は選択信号が受信されないと３１１段階を遂行する。
【００５７】
３１１段階で治療計画管理部１５４は入力部１２０から治療計画に対する変更信号の受信の有無を確認する。３１１段階で変更信号が受信されると治療計画管理部１５４は３１３段階を遂行し、変更信号が受信されないと治療計画管理部１５４は３１５段階を遂行する。３１３段階で治療計画管理部１５４は入力部１２０から受信される信号により治療計画を変更し、変更された治療計画を治療計画ＤＢ１４２に更新して保存する。例えば、治療計画管理部１５４は第２治療計画である第２オブジェクトの中からインプラントを植立しようとする位置を変更するために、インプラントイメージで形成されたオブジェクトの位置が移動すると、移動した位置についての情報を治療計画ＤＢ１４２に更新して保存することができる。
【００５８】
３１５段階で治療計画管理部１５４は、確認されたまたは変更された治療計画を外部装置（図示されず）に伝送するための伝送信号が受信されると３１７段階を遂行し、伝送信号が受信されないと３０７段階に回帰して前記動作を再遂行することができる。この時、３１５段階および３１７段階は図２の２１５段階および２１７段階で説明したため、具体的な説明は省略する。
【００５９】
図４は、本発明の実施例に係る医療映像データと関連した第１治療計画を記録する方法を説明するための画面例示図である。図５は、本発明の実施例に係る医療映像データと関連した第２治療計画を記録する方法を説明するための画面例示図である。
【００６０】
図４および図５を参照すると、治療計画を樹立するためのアプリケーション、ウェブページなどを実行すると、表示部１３０にはメイン画面４００、５００が表示される。この時、メイン画面４００、５００は映像データを表示するイメージ領域４１０、５１０、オブジェクトを生成するための道具を表示する道具領域４２０、５２０および選択されたオブジェクトのリストを表示するリスト領域４３０、５３０に区分される。併せて、イメージ領域４１０、５１０の上部には樹立された治療計画のリスト４１１、５１１、５１２と、治療計画を追加するためのタブ４１２、５１３が形成され得、道具領域４２０、５２０の上部には樹立された治療計画を外部装置（図示されず）に伝送するためのｅｘｐｏｒｔタブ４２１、５２１が形成され得る。道具領域４２０、５２０には映像データに対する鮮明度、色相反転、明るさなどを調節して映像処理を遂行するためのボタン、映像処理を初期化するためのボタン、映像データの回転および反転を遂行するためのボタン、映像データの一部の長さ、角度、深さおよび広さを測定するためのボタン、映像データに使用者の入力に対応する線を入力できるｐｅｎ、入力部１２０から入力された開始点と終了点を連結して直線入力、矢印線入力、曲線入力、四角形入力および楕円入力を遂行するためのボタン、映像データにテキストを入力するためのテキストボタン、映像データの一部にインプラントに対するオブジェクトまたはクラウンに対するオブジェクトを配置するためのボタンおよび映像データに追加したオブジェクトの表示および隠しを遂行するためのボタンを含むオブジェクト道具が表示され得る。
【００６１】
より具体的には、使用者が計画追加タブ４１２を選択すると、インターフェース部１５１は治療計画１タブ４１１を生成して活性化させる。使用者は入力部１２０を通じて治療計画を樹立しようとする被施術者の名前または患者番号などを含む呼び出し信号を入力する。映像管理部１５２は映像ＤＢ１４１に保存された映像データの中から呼び出し信号に対応する映像データを呼び出して図４のようにイメージ領域４１０に表示する。この時、本発明での映像データは被施術者の口腔内部に対するｘ−ｒａｙ撮影映像データである２次元医療映像データであり得る。
【００６２】
使用者は被施術者の映像データに基づいて第１治療計画を樹立するために、道具領域４２０に表示されたオブジェクト道具のうち長さ測定のための道具を選択することができる。使用者は道具選択後、映像データから下顎に、特定位置の長さを測定するために開始点と終了点を選択する。治療計画管理部１５４は選択された開始点と終了点に対する長さを算出して映像データに表示し、これを第１ａオブジェクト４４１として設定する。
【００６３】
また、使用者は下顎に、特定位置の角度を測定するために基準点を選択して基準点を基準として角度を測定しようとする複数の位置を選択する。治療計画管理部１５４は選択された基準点および複数の位置を基準として角度を算出して映像データに表示し、これを第１ｂオブジェクト４４２として設定する。
【００６４】
最後に、使用者は上顎で特定位置の長さを測定するために複数の点を選択する。治療計画管理部１５４は選択された複数の点を連結する長さを算出して映像データに表示し、これを第１ｃオブジェクト４４３として設定する。このように、第１オブジェクト４４０が設定されると、道具領域４２０の下端に形成されたリスト領域４３０には、ｄｉｓｔａｎｃｅメニュー、ａｎｇｌｅメニューおよびｍｕｌｔｉ  ｄｉｓｔａｎｃｅメニューが表示される。使用者はそれぞれのメニューを利用して第１ａオブジェクト４４１、第１ｂオブジェクト４４２および第１ｃオブジェクト４４３の修正および削除を遂行することができる。
【００６５】
このように、第１ａオブジェクト４４１、第１ｂオブジェクト４４２および第１ｃオブジェクト４４３が映像データに追加されると、治療計画管理部１５４は第１ａオブジェクト４４１、第１ｂオブジェクト４４２および第１ｃオブジェクト４４３を第１オブジェクト４４０としてグルーピングして第１グループを生成する。治療計画管理部１５４は第１グループを第１治療計画として確認し、第１治療計画と映像データに第１インデックスを追加する。治療計画管理部１５４は映像データに第１インデックスを追加して映像ＤＢ１４１に保存し、第１インデックスが追加された第１治療計画を治療計画ＤＢ１４２に保存する。この時、治療計画管理部１５４は第１治療計画に含まれた第１オブジェクト４４０についての情報を共に保存することができる。
【００６６】
図４のように、第１治療計画の樹立が完了した後、使用者がメイン画面４００で計画追加タブ４１２を選択すれば、図５のように治療計画リストの一つである治療計画１タブ５１１と計画追加タブ５１３の間に治療計画２タブ５１２が治療計画リストに追加形成され得る。この時、治療計画１タブ５１１と計画追加タブ５１３は図４の治療計画１タブ４１１と計画追加タブ４１２と同じである。治療計画２タブ５１２が活性化すると、イメージ領域５１０には図４のイメージ領域４１０に表示された映像データと同じ映像データが表示される。
【００６７】
治療計画２タブ５１２が活性化した状態で、使用者は合計６個の第２オブジェクト５４０を映像データに追加することができる。例えば、使用者が図４の道具領域４２０に表示されたオブジェクト道具のうち、広さ測定のための道具を選択し、映像データの上顎で広さ測定を望むＲＯＩ（ｒｅｇｉｏｎ  ｏｆ  ｉｎｔｅｒｅｓｔ）を設定する。使用者からＲＯＩが設定されると、治療計画管理部１５４はＲＯＩの広さを算出して映像データに追加し、これを第２ａオブジェクト５４１として設定する。使用者がＲＯＩに矢印を表示するために、道具領域５２０に表示されたオブジェクト道具のうち矢印線ボタンを選択すると、治療計画管理部１５４は映像データに表示されたＲＯＩすなわち、第２ａオブジェクト５４１に向かう矢印を追加し、これを第２ｂオブジェクト５４２として設定する。
【００６８】
使用者が映像データの下顎で神経治療が必要な部分を表示するために、道具領域５２０に表示されたオブジェクト道具のうち曲線ボタンを選択し、曲線を追加する位置を選択する。治療計画管理部１５４は使用者から選択された位置を連結して曲線を追加し、これを第２ｃオブジェクト５４３として生成する。使用者が映像データの下顎でインプラント植立およびクラウン治療が必要であると思われる位置を表示するために、道具領域５２０に表示されたオブジェクト道具のうちインプラントとクラウンボタンを選択し、インプラントとクラウン治療を遂行する位置を選択する。治療計画管理部１５４は使用者から選択された位置に３Ｄ形態のインプラントイメージオブジェクトとクラウンイメージオブジェクトを追加し、これを第２ｄオブジェクト５４４および第２ｅオブジェクト５４５として設定する。
【００６９】
最後に、使用者はインプラントを植立するための位置にメモを追加するために、道具領域５２０に表示されたオブジェクト道具のうちテキストボタンを選択し、テキストを追加する位置を選択する。治療計画管理部１５４は使用者から選択された位置に使用者から入力されたテキストを追加し、これを第２ｆオブジェクト５４６として設定する。
【００７０】
このように、第２オブジェクト５４０が設定されると、道具領域５２０の下端に形成されたリスト領域５３０には、ＲＯＩメニュー、Ａｒｒｏｗメニュー、Ｎｅｒｖｅメニュー、Ｉｍｐｌａｎｔメニュー、ＣｒｏｗｎメニューおよびＭｅｍｏメニューが表示される。使用者はそれぞれのメニューを利用して第２ａオブジェクト５４１、第２ｂオブジェクト５４２、第２ｃオブジェクト５４３、第２ｄオブジェクト５４４、第２eオブジェクト５４５および第２fオブジェクト５４６の修正および削除を遂行することができる。
【００７１】
このように、第２ａオブジェクト５４１、第２ｂオブジェクト５４２、第２ｃオブジェクト５４３、第２ｄオブジェクト５４４、第２eオブジェクト５４５および第２fオブジェクト５４６が映像データに追加されると、治療計画管理部１５４は第２ａオブジェクト５４１、第２ｂオブジェクト５４２、第２ｃオブジェクト５４３、第２ｄオブジェクト５４４、第２eオブジェクト５４５および第２fオブジェクト５４６を第２オブジェクト５４０としてグルーピングして第２グループを生成する。治療計画管理部１５４は第２グループを第２治療計画として確認し、第２治療計画と映像データに第２インデックスを追加する。治療計画管理部１５４は映像データに第２インデックスを追加して映像ＤＢ１４１に保存し、第２インデックスが追加された第２治療計画を治療計画ＤＢ１４２に保存する。この時、治療計画管理部１５４は第２治療計画に含まれた第２オブジェクト５４０についての情報を共に保存することができる。
【００７２】
第１オブジェクト４４０および第２オブジェクト５４０の追加により第１治療計画および第２治療計画の樹立が完了すると、使用者はメイン画面４００、５００に含まれたｅｘｐｏｒｔタブ４２１、５２１を利用して映像データ、第１治療計画および第２治療計画を外部装置に提供することができる。これは図２で説明したため、具体的な説明は省略する。
【００７３】
図６は、本発明の実施例に係るデータ構造を説明するための例示図である。
【００７４】
図６を参照すると、映像データと治療計画は図６（ａ）のような形態のデータ構造で保存され得る。電子装置１００は上顎映像に該当する被施術者の上顎のうち、１３番歯と２６番歯にインプラント植立が必要であれば、上顎映像にインプラント植立に関連したオブジェクトを追加する。電子装置１００は１３番歯と２６番歯に追加されたオブジェクトを第１オブジェクトとしてグルーピングして第１治療計画として設定する。そして、電子装置１００は第１治療計画および上顎映像に第１インデックス（ｉｎｄｅｘ１）を追加してデータを保存することができる。
【００７５】
また、電子装置１００は上顎映像に該当する被施術者の上顎のうち、１７番歯にレジンの取り換えが必要であれば、上顎映像にレジンの取り換えと関連したオブジェクトを追加する。電子装置１００は１７番歯に追加されたオブジェクトを第２オブジェクトとしてグルーピングして第２治療計画として設定する。そして、電子装置１００は第２治療計画および上顎映像に第２インデックス（ｉｎｄｅｘ２）を追加してデータを保存することができる。
【００７６】
また、電子装置１００は下顎映像に該当する被施術者の下顎のうち３５番歯にインプラント植立が必要であれば、下顎映像にインプラント植立に関連したオブジェクトを追加する。電子装置１００は１７番歯に追加されたオブジェクトを第３オブジェクトとしてグルーピングして第３治療計画として設定する。そして、電子装置１００は第３治療計画および下顎映像に第３インデックス（ｉｎｄｅｘ３）を追加してデータを保存することができる。
【００７７】
これを通じて、使用者がホン・ギルドンと上顎映像を選択すると、電子装置１００は上顎映像に追加されたインデックスを確認する。電子装置１００は上顎映像に追加された第１インデックス（ｉｎｄｅｘ１）と第２インデックス（ｉｎｄｅｘ２）が追加された第１治療計画と第２治療計画を抽出する。使用者は治療計画のリストから第１治療計画と第２治療計画を交互に確認することができる。したがって、図６（ａ）のような形態のデータ構造で保存される時、使用者は被施術者の名前と、映像データの種類を選択して該当映像データに樹立された複数の治療計画を一括的  に確認することができる。
【００７８】
また、映像データと治療計画は図６（ｂ）のような形態のデータ構造で保存され得る。電子装置１００は被施術者の上顎のうち１３番歯および２６番歯と被施術者の下顎のうち３５番歯にインプラント植立が必要であれば、上顎映像と下顎映像にインプラント植立に関連したオブジェクトを追加する。電子装置１００は上顎の１３番歯、２６番歯および下顎の３５番歯を第１オブジェクトとしてグルーピングして第１治療計画として設定する。そして、電子装置１００は第１治療計画、上顎映像および下顎映像に第１インデックス（ｉｎｄｅｘ１）を追加してデータを保存することができる。
【００７９】
また、電子装置１００は被施術者の上顎と下顎のうち上顎の１７番歯にレジンの取り換えが必要であれば、上顎映像にレジンの取り換えと関連したオブジェクトを追加する。電子装置１００は上顎の１７番歯を第２オブジェクトとしてグルーピングして第２治療計画として設定する。そして、電子装置１００は第２治療計画と上顎映像に第２インデックス（ｉｎｄｅｘ２）を追加してデータを保存することができる。これを通じて、使用者がホン・ギルドンと治療計画としてインプラント植立を選択すると、電子装置１００はインプラント植立に追加されたインデックスが第１インデックス（ｉｎｄｅｘ１）であることを確認する。電子装置１００は第１インデックス（ｉｎｄｅｘ１）が追加された上顎映像と下顎映像を抽出して表示部１３０に表示することができる。この時、電子装置１００は一つの画面を分割して上顎映像と下顎映像を同時に表示することができる。したがって、図６の（ｂ）のような形態のデータ構造で保存される時、使用者は被施術者の名前と治療計画を選択して一つの治療計画に対する複数の映像データを確認することができる。
【００８０】
一方、本明細書と図面に開示された本発明の実施例は、本発明の技術内容を容易に説明し本発明の理解を助けるために特定の例を提示したものに過ぎず、本発明の範囲を限定しようとするものではない。すなわち、本発明の技術的思想に基づいた他の変形例が実施可能であることは本発明が属する技術分野で通常の知識を有する者に自明なものである。
【図１】
2020098601.tif 000003
【図２】
2020098601.tif 000004
【図３】
2020098601.tif 000005
【図４】
2020098601.tif 000006
【図５】
2020098601.tif 000007
【図６】
2020098601.tif 000008